【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
未消費コンテンツの可用性に関してユーザにアラートするための方法であって、前記方法は、
表示のために、メディアアセットに関するメディア一覧を生成することと、
前記メディアアセットの残りの未消費コンテンツの時間量と前記メディアアセットが第１のデバイス上でユーザに利用可能な時間量とを比較することと、
前記メディアアセットの残りの未消費コンテンツの時間量が前記メディアアセットが第１のデバイス上でユーザに利用可能な時間量を超えることの決定に応答して、表示のために、前記メディアアセットの残りの未消費コンテンツに対応する前記メディアアセットの部分が第２のデバイスにダウンロードするために利用可能であることのインジケーションを生成することと
を含む、方法。
【請求項２】
前記メディアアセットが前記第１のデバイス上で前記ユーザに利用可能な時間量を決定することと、
前記メディアアセットの残りの未消費コンテンツの時間量を決定することと
をさらに含む、請求項１に記載の方法。
【請求項３】
前記メディアアセットの残りの未消費コンテンツの時間量が前記メディアアセットが第１のデバイス上でユーザに利用可能な時間量を超えることの決定に応答して、
閾値時間量を読み出すことと、
前記メディアアセットの残りの未消費コンテンツの時間量と前記閾値時間量とを比較することと、
前記メディアアセットの残りの未消費コンテンツの時間量が前記閾値時間量に対応しないことの決定に応答して、表示のために、前記メディアアセットの前記部分が前記第２のデバイスにダウンロードするために利用可能であることのインジケーションを生成しないことと
をさらに含む、請求項２に記載の方法。
【請求項４】
前記メディアアセットの残りの未消費コンテンツの時間量の決定は、前記メディアアセットの再生に先立って行われる、請求項３に記載の方法。
【請求項５】
前記インジケーションは、前記メディア一覧と同時に表示される、請求項４に記載の方法。
【請求項６】
前記メディアアセットが第１のデバイス上でユーザに利用可能な時間量は、前記メディアアセットを提供するコンテンツプロバイダとのサブスクリプションの長さに基づく、請求項５に記載の方法。
【請求項７】
前記メディアアセットが第１のデバイス上でユーザに利用可能な時間量は、前記第１のデバイスのバッテリ寿命に基づく、請求項５に記載の方法。
【請求項８】
前記メディアアセットが第１のデバイス上でユーザに利用可能な時間量は、前記ユーザのスケジューリング制限に基づく、請求項５に記載の方法。
【請求項９】
前記メディアアセットの前記部分を抽出することと、
前記メディアアセットの前記部分のみを特徴とする新しいメディアアセットを作成する命令を伝送することと
をさらに含む、請求項５に記載の方法。
【請求項１０】
前記新しいメディアアセットは、ウェブサーバから前記第２のデバイスにダウンロードするために利用可能である、請求項９に記載の方法。
【手続補正２】
【補正対象書類名】明細書
【補正対象項目名】００１２
【補正方法】変更
【補正の内容】
【００１２】
前述のシステムおよび／または方法は、他のシステム、方法、および／または装置と組み合わせられ、それらに適用され、もしくはそれらに従って使用され得ることに留意されたい。
本願明細書は、例えば、以下の項目も提供する。
（項目１）
未消費コンテンツの可用性に関してユーザにアラートするための方法であって、前記方法は、
表示のために、メディアアセットに関するメディア一覧を生成することと、
前記メディアアセットの残りの未消費コンテンツの時間量と前記メディアアセットが第１のデバイス上でユーザに利用可能な時間量とを比較することと、
前記メディアアセットの残りの未消費コンテンツの時間量が前記メディアアセットが第１のデバイス上でユーザに利用可能な時間量を超えることの決定に応答して、表示のために、前記メディアアセットの残りの未消費コンテンツに対応する前記メディアアセットの部分が第２のデバイスにダウンロードするために利用可能であることのインジケーションを生成することと
を含む、方法。
（項目２）
前記メディアアセットが前記第１のデバイス上で前記ユーザに利用可能な時間量を決定することと、
前記メディアアセットの残りの未消費コンテンツの時間量を決定することと、
をさらに含む、項目１に記載の方法。
（項目３）
前記メディアアセットの残りの未消費コンテンツの時間量が前記メディアアセットが第１のデバイス上でユーザに利用可能な時間量を超えることの決定に応答して、
閾値時間量を読み出すことと、
前記メディアアセットの残りの未消費コンテンツの時間量と前記閾値時間量とを比較することと、
前記メディアアセットの残りの未消費コンテンツの時間量が前記閾値時間量に対応しないことの決定に応答して、表示のために、前記メディアアセットの前記部分が前記第２のデバイスにダウンロードするために利用可能であることのインジケーションを生成しないことと
をさらに含む、項目２に記載の方法。
（項目４）
前記メディアアセットの残りの未消費コンテンツの時間量の決定は、前記メディアアセットの再生に先立って行われる、項目３に記載の方法。
（項目５）
前記インジケーションは、前記メディア一覧と同時に表示される、項目４に記載の方法。
（項目６）
前記メディアアセットが第１のデバイス上でユーザに利用可能な時間量は、前記メディアアセットを提供するコンテンツプロバイダとのサブスクリプションの長さに基づく、項目５に記載の方法。
（項目７）
前記メディアアセットが第１のデバイス上でユーザに利用可能な時間量は、前記第１のデバイスのバッテリ寿命に基づく、項目５に記載の方法。
（項目８）
前記メディアアセットが第１のデバイス上でユーザに利用可能な時間量は、前記ユーザのスケジューリング制限に基づく、項目５に記載の方法。
（項目９）
前記メディアアセットの前記部分を抽出することと、
前記メディアアセットの前記部分のみを特徴とする新しいメディアアセットを作成する命令を伝送することと
をさらに含む、項目５に記載の方法。
（項目１０）
前記新しいメディアアセットは、ウェブサーバから前記第２のデバイスにダウンロードするために利用可能である、項目９に記載の方法。
（項目１１）
未消費コンテンツの可用性に関してユーザにアラートするためのシステムであって、前記システムは、
メディアアセットの残りの未消費コンテンツの時間量および前記メディアアセットが第１のデバイス上でユーザに利用可能な時間量を記憶するように構成されるデータベースと、
制御回路であって、前記制御回路は、
表示のために、前記メディアアセットに関するメディア一覧を生成することと、
前記メディアアセットの残りの未消費コンテンツの時間量と前記メディアアセットが第１のデバイス上でユーザに利用可能な時間量とを比較することと、
前記メディアアセットの残りの未消費コンテンツの時間量が前記メディアアセットが第１のデバイス上でユーザに利用可能な時間量を超えることの決定に応答して、表示のために、前記メディアアセットの残りの未消費コンテンツに対応する前記メディアアセットの部分が第２のデバイスにダウンロードするために利用可能であることのインジケーションを生成することと
を行うように構成される、制御回路と、
を備える、システム。
（項目１２）
前記制御回路はさらに、
前記メディアアセットが前記第１のデバイス上で前記ユーザに利用可能な時間量を決定することと、
前記メディアアセットの残りの未消費コンテンツの時間量を決定することと
を行うように構成される、項目１１に記載のシステム。
（項目１３）
前記制御回路はさらに、前記メディアアセットの残りの未消費コンテンツの時間量が前記メディアアセットが第１のデバイス上でユーザに利用可能な時間量を超えることの決定に応答して、
前記データベースから閾値時間量を読み出すことと、
前記メディアアセットの残りの未消費コンテンツの時間量と前記閾値時間量とを比較することと、
前記メディアアセットの残りの未消費コンテンツの時間量が前記閾値時間量に対応しないことの決定に応答して、表示のために、前記メディアアセットの前記部分が前記第２のデバイスにダウンロードするために利用可能であることのインジケーションを生成しないことと
を行うように構成される、項目１２に記載のシステム。
（項目１４）
前記メディアアセットの残りの未消費コンテンツの時間量の決定は、前記メディアアセットの再生に先立って行われる、項目１３に記載のシステム。 
（項目１５）
前記インジケーションは、前記メディア一覧と同時に表示される、項目１４に記載のシステム。
（項目１６）
前記メディアアセットが第１のデバイス上でユーザに利用可能な時間量は、前記メディアアセットを提供するコンテンツプロバイダとのサブスクリプションの長さに基づく、項目１５に記載のシステム。
（項目１７）
前記メディアアセットが第１のデバイス上でユーザに利用可能な時間量は、前記第１のデバイスのバッテリ寿命に基づく、項目１５に記載のシステム。
（項目１８）
前記メディアアセットが第１のデバイス上でユーザに利用可能な時間量は、前記ユーザのスケジューリング制限に基づく、項目１５に記載のシステム。
（項目１９）
前記制御回路はさらに、
前記メディアアセットの前記部分を抽出することと、
前記メディアアセットの前記部分のみを特徴とする新しいメディアアセットを作成する命令を伝送することと
を行うように構成される、項目１５に記載のシステム。
（項目２０）
前記新しいメディアアセットは、ウェブサーバから前記第２のデバイスにダウンロードするために利用可能である、項目１９に記載のシステム。
（項目２１）
未消費コンテンツの可用性に関してユーザにアラートするための方法であって、前記方法は、
制御回路を使用して、表示のために、メディアアセットに関するメディア一覧を生成することと、
制御回路を使用して、前記メディアアセットの残りの未消費コンテンツの時間量と前記メディアアセットが第１のデバイス上でユーザに利用可能な時間量とを比較することと、
前記メディアアセットの残りの未消費コンテンツの時間量が前記メディアアセットが第１のデバイス上でユーザに利用可能な時間量を超えることの決定に応答して、表示のために、制御回路を使用して、前記メディアアセットの残りの未消費コンテンツに対応する前記メディアアセットの部分が第２のデバイスにダウンロードするために利用可能であることのインジケーションを生成することと
を含む、方法。
（項目２２）
前記メディアアセットが前記第１のデバイス上で前記ユーザに利用可能な時間量を決定することと、
前記メディアアセットの残りの未消費コンテンツの時間量を決定することと
をさらに含む、項目２１に記載の方法。
（項目２３）
前記メディアアセットの残りの未消費コンテンツの時間量が前記メディアアセットが第１のデバイス上でユーザに利用可能な時間量を超えることの決定に応答して、
閾値時間量を読み出すことと、
前記メディアアセットの残りの未消費コンテンツの時間量と前記閾値時間量とを比較することと、
前記メディアアセットの残りの未消費コンテンツの時間量が前記閾値時間量に対応しないことの決定に応答して、表示のために、前記メディアアセットの前記部分が前記第２のデバイスにダウンロードするために利用可能であることのインジケーションを生成しないことと
をさらに含む、項目２１または２２に記載の方法。
（項目２４）
前記メディアアセットの残りの未消費コンテンツの時間量の決定は、前記メディアアセットの再生に先立って行われる、項目２１−２３のいずれか１項に記載の方法。
（項目２５）
前記インジケーションは、前記メディア一覧と同時に表示される、項目２１−２４のいずれか１項に記載の方法。
（項目２６）
前記メディアアセットが第１のデバイス上でユーザに利用可能な時間量は、前記メディアアセットを提供するコンテンツプロバイダとのサブスクリプションの長さに基づく、項目２１−２５のいずれか１項に記載の方法。
（項目２７）
前記メディアアセットが第１のデバイス上でユーザに利用可能な時間量は、前記第１のデバイスのバッテリ寿命に基づく、項目２１−２６のいずれか１項に記載の方法。
（項目２８）
前記メディアアセットが第１のデバイス上でユーザに利用可能な時間量は、前記ユーザのスケジューリング制限に基づく、項目２１−２７のいずれか１項に記載の方法。
（項目２９）
前記メディアアセットの前記部分を抽出することと、
前記メディアアセットの前記部分のみを特徴とする、新しいメディアアセットを作成する命令を伝送することと
をさらに含む、項目２１−２８のいずれか１項に記載の方法。
（項目３０）
前記新しいメディアアセットは、ウェブサーバから前記第２のデバイスにダウンロードするために利用可能である、項目２１−２９のいずれか１項に記載の方法。
（項目３１）
未消費コンテンツの可用性に関してユーザにアラートするためのシステムであって、前記システムは、
表示のために、メディアアセットに関するメディア一覧を生成するための手段と、
前記メディアアセットの残りの未消費コンテンツの時間量と前記メディアアセットが第１のデバイス上でユーザに利用可能な時間量とを比較するための手段と、
前記メディアアセットの残りの未消費コンテンツの時間量が前記メディアアセットが第１のデバイス上でユーザに利用可能な時間量を超えることの決定に応答して、表示のために、前記メディアアセットの残りの未消費コンテンツに対応する、前記メディアアセットの部分が、第２のデバイスにダウンロードするために利用可能であることのインジケーションを生成するための手段と
を備える、システム。
（項目３２）
前記メディアアセットが前記第１のデバイス上で前記ユーザに利用可能な時間量を決定するための手段と、
前記メディアアセットの残りの未消費コンテンツの時間量を決定するための手段と
をさらに備える、項目３１に記載のシステム。
（項目３３）
前記メディアアセットの残りの未消費コンテンツの時間量が前記メディアアセットが第１のデバイス上でユーザに利用可能な時間量を超えることの決定に応答して、
閾値時間量を読み出すための手段と、
前記メディアアセットの残りの未消費コンテンツの時間量と前記閾値時間量とを比較するための手段と、
前記メディアアセットの残りの未消費コンテンツの時間量が前記閾値時間量に対応しないことの決定に応答して、表示のために、前記メディアアセットの前記部分が前記第２のデバイスにダウンロードするために利用可能であることのインジケーションを生成しないための手段と
をさらに備える、項目３２に記載のシステム。
（項目３４）
前記メディアアセットの残りの未消費コンテンツの時間量の決定は、前記メディアアセットの再生に先立って行われる、項目３３に記載のシステム。
（項目３５）
前記インジケーションは、前記メディア一覧と同時に表示される、項目３４に記載のシステム。
（項目３６）
前記メディアアセットが第１のデバイス上でユーザに利用可能な時間量は、前記メディアアセットを提供するコンテンツプロバイダとのサブスクリプションの長さに基づく、項目３５に記載のシステム。
（項目３７）
前記メディアアセットが第１のデバイス上でユーザに利用可能な時間量は、前記第１のデバイスのバッテリ寿命に基づく、項目３５に記載のシステム。
（項目３８）
前記メディアアセットが第１のデバイス上でユーザに利用可能な時間量は、前記ユーザのスケジューリング制限に基づく、項目３５に記載のシステム。
（項目３９）
前記メディアアセットの前記部分を抽出するための手段と、
前記メディアアセットの前記部分のみを特徴とする、新しいメディアアセットを作成する命令を伝送するための手段と
をさらに備える、項目３５に記載のシステム。
（項目４０）
前記新しいメディアアセットは、ウェブサーバから前記第２のデバイスにダウンロードするために利用可能である、項目３９に記載のシステム。
（項目４１）
非一過性コンピュータ可読媒体であって、前記非一過性コンピュータ可読媒体は、未消費コンテンツの可用性に関してユーザにアラートするための前記非一過性コンピュータ可読媒体上に記録される命令を有し、前記命令は、
表示のために、メディアアセットに関するメディア一覧を生成するための命令と、
前記メディアアセットの残りの未消費コンテンツの時間量と前記メディアアセットが第１のデバイス上でユーザに利用可能な時間量とを比較するための命令と、
前記メディアアセットの残りの未消費コンテンツの時間量が前記メディアアセットが第１のデバイス上でユーザに利用可能な時間量を超えることの決定に応答して、表示のために、前記メディアアセットの残りの未消費コンテンツに対応する、前記メディアアセットの部分が、第２のデバイスにダウンロードするために利用可能であることのインジケーションを生成するための命令と
を備える、非一過性コンピュータ可読媒体。
（項目４２）
前記メディアアセットが前記第１のデバイス上で前記ユーザに利用可能な時間量を決定するための命令と、
前記メディアアセットの残りの未消費コンテンツの時間量を決定するための命令と
をさらに備える、項目４１に記載の非一過性コンピュータ可読媒体。
（項目４３）
前記メディアアセットの残りの未消費コンテンツの時間量が前記メディアアセットが第１のデバイス上でユーザに利用可能な時間量を超えることの決定に応答して、
閾値時間量を読み出すための命令と、
前記メディアアセットの残りの未消費コンテンツの時間量と前記閾値時間量とを比較するための命令と、
前記メディアアセットの残りの未消費コンテンツの時間量が前記閾値時間量に対応しないことの決定に応答して、表示のために、前記メディアアセットの前記部分が前記第２のデバイスにダウンロードするために利用可能であることのインジケーションを生成しないための命令と
をさらに備える、項目４２に記載の非一過性コンピュータ可読媒体。
（項目４４）
前記メディアアセットの残りの未消費コンテンツの時間量の決定は、前記メディアアセットの再生に先立って行われる、項目４３に記載の非一過性コンピュータ可読媒体。
（項目４５）
前記インジケーションは、前記メディア一覧と同時に表示される、項目４４に記載の非一過性コンピュータ可読媒体。
（項目４６）
前記メディアアセットが第１のデバイス上でユーザに利用可能な時間量は、前記メディアアセットを提供するコンテンツプロバイダとのサブスクリプションの長さに基づく、項目４５に記載の非一過性コンピュータ可読媒体。
（項目４７）
前記メディアアセットが第１のデバイス上でユーザに利用可能な時間量は、前記第１のデバイスのバッテリ寿命に基づく、項目４５に記載の非一過性コンピュータ可読媒体。
（項目４８）
前記メディアアセットが第１のデバイス上でユーザに利用可能な時間量は、前記ユーザのスケジューリング制限に基づく、
項目４５に記載の非一過性コンピュータ可読媒体。
（項目４９）
前記メディアアセットの前記部分を抽出することと、
前記メディアアセットの前記部分のみを特徴とする、新しいメディアアセットを作成する命令を伝送することと
をさらに含む、項目４５に記載の非一過性コンピュータ可読媒体。
（項目５０）
前記新しいメディアアセットは、ウェブサーバから前記第２のデバイスにダウンロードするために利用可能である、項目４９に記載の非一過性コンピュータ可読媒体。